(57)【要約】【課題】ケース内に開閉部を密閉状態に収納している開閉器の内部短絡発生を容易に目視確認できるケース入り開閉器の内部短絡検出装置を提供する。【解決手段】表面側が平面で、裏面側が連続したプリズムや略４５度の傾斜面などの乱反射面からなる透明な表示窓板と、常時は前記表示窓板から離間すると共に、内部短絡時の内圧上昇時には前記表示窓板の乱反射面に密着して表示窓板の表面側からその視認部材の表示色を視認できるようにした表示板とからなるケース入り開閉器における内部短絡検出装置である。【選択図】  図２
2004355963.tif 000002
【特許請求の範囲】
【請求項１】
ケース内に開閉部を密閉状態に収納すると共にそのケースの一面に位置して内部短絡検出装置を備えたケース入り開閉器において、
上記内部短絡検出装置は、表面側が平面で、裏面側が連続したプリズムや略４５度の傾斜面などの乱反射面からなる透明な表示窓板と、
常時は前記表示窓板から離間すると共に、内部短絡時の内圧上昇時には前記表示窓板の乱反射面に密着して表示窓板の表面側からその視認部材の表示色を視認できるようにした表示板とからなることを特徴とするケース入り開閉器における内部短絡検出装置
【請求項２】
平常時においては表示窓板と表示板間の離間状態を維持すると共に、
内部短絡時の内圧上昇時には該内圧により上記表示窓板と表示板とを密着可能にする離間維持手段を設けていることを特徴とする請求項１記載のケース入り開閉器における内部短絡検出装置
【請求項３】
表示窓板と表示板間の密着状態を継続維持する係止手段を設けていることを特徴とする請求項１または２記載のケース入り開閉器における内部短絡検出装置
【発明の詳細な説明】
【０００１】
【発明の属する技術分野】
本発明は、高圧配電線路などにおいて電路を開閉するために使用されるケース内に開閉部を密閉状態に収納させているケース入り開閉器の内部短絡検出装置の改良に関するものである。
【０００２】
【従来の技術】
高圧配電線路には電路を開閉する開閉部を密閉されたケース内に収納させた開閉器が使用されている。
上記開閉器は電柱等に設けられており、開閉器の内部で万一短絡事故が発生した場合に、ケース内の上昇した内部圧力を開閉器外部へ放出させる放圧装置が設けられている。
そして開閉器の内部短絡発生を上記放圧装置の変化により発見することができるようになっている。
【０００３】
しかしながら、線路の末端などに設けられている開閉器の場合には内部短絡事故時の短絡電流値が少なく、上記放圧装置の変化が地上からの目視確認で発見しにくいという問題点がある。
特に短絡事故後に再送電が成功した場合、再送電状態で使用されるため、発見が遅いと再度停電事故が発生する恐れがある。
そのため、開閉器内部圧力で表示板を落下させる構造の放圧表示装置が提案されている。（例えば、特許文献１参照。）
【０００４】
【特許文献１】
実公平７−１１３９２特号公報（第２−３頁、第５図）
【０００５】
【発明が解決しようとする課題】
しかしながら、目視確認作業は夜間等周囲が暗い場合もあり、夜間等の暗い場合でも容易に発見しやすい表示装置が望まれている。
本発明は夜間等においても発見が容易な表示部が大きく、表示が見やすい開閉器の内部短絡検出装置を提供することにある。
【０００６】
【課題を解決するための手段】
上記目的を達成するためになされたもので、請求項１記載の本発明は、ケース内に開閉部を密閉状態に収納すると共にそのケースの一面に位置して内部短絡検出装置を備えたケース入り開閉器において、
上記内部短絡検出装置は、表面側が平面で、裏面側が連続したプリズムや略４５度の傾斜面などの乱反射面からなる透明な表示窓板と、
常時は前記表示窓板から離間すると共に、内部短絡時の内圧上昇時には前記表示窓板の乱反射面に密着して表示窓板の表面側からその視認部材の表示色を視認できるようにした表示板とからなることを特徴とするケース入り開閉器における内部短絡検出装置である。
【０００７】
請求項２記載の発明は、平常時においては上記表示窓板と表示板間の離間状態を維持すると共に、内部短絡時の内圧上昇時には該内圧により上記表示窓板と表示板とを密着可能にする離間維持手段を設けていることを特徴とする請求項１記載のケース入り開閉器における内部短絡検出装置である。
【０００８】
請求項３記載の発明は、上記表示窓板と表示板間の密着状態を継続維持する係止手段を設けていることを特徴とする請求項１または２記載のケース入り開閉器における内部短絡検出装置である。
【０００９】
【発明の実施の形態】
本発明の実施例を図を用いて説明する。
図１に示すように、開閉部を収納させている金属又は樹脂からなる本体ケース２の側面２ａ、２ｂには、本体ケース２を貫通して三相高圧配電線路の電路と開閉部を接続するための導電体４を中心部に貫装させた磁器又は樹脂からなるブッシング３が設けられている。
なおブッシング３は図示されていないネジによってパッキン等の弾性部材５を介してフランジ６により本体ケース２に止着されている。
【００１０】
本体ケース２の下面２ｃには、本体ケース２を貫通して直径５０ｍｍ以上の孔７ａを設けた表示装置収納部７が設けられている。
表示装置収納部７の内側には後述する表示装置１０が図２に示すようにパッキン等の弾性部材８により気密されるようにして装着されて、ネジ５０にて取付板９により止着されている。
なお、表示装置収納部７の孔７ａの大きさ及び形状は任意に設定することができる。
【００１１】
表示装置１０について図２から図６を用いて説明する。
表示装置１０の主要部分は表示窓板１１と表示体２１で構成されている。
【００１２】
表示窓板１１は透明な樹脂又はガラスなどからなる略円板形状をしており、
表示窓板１１の表面側には平面１１ｃ、裏面側には連続したプリズム或いは略４５度の傾斜面などからなる乱反射面１１ａが形成されており、
さらに乱反射面１１ａの中心には、突起状の係止部２０ａを先端に設けた金属または合成樹脂からなる係止部材２０が接着等の手段により表示窓板１１に止着されている。
【００１３】
表示体２１は、スポンジゴム等の容易に変形可能な透明の合成樹脂からなる略円板形状の表示板１２を、中心部に棒状の突起部１３ａを備えて略冠状をしている表示板支持金具１３の内側にツバ部１３ｂで外れないように装着している構成からなっている。
なお視認部材２２は表示板１２と表示板１２に当接している表示板支持金具１３の端面１３ｃの間に設けられている。
また表示板１２の中心部には、後述するように表示板１２と表示窓板１１が密着したときに、密着状態を保持するために表示窓板１１に設けられている係止部材２０と係止する凹部形状の係止部１２ａが設けられている。
【００１４】
そして表示体２１は、端面１４ｃ側が開口している底面１４ｄを持つ略円筒形状の取付枠１４の内側に、底面１４ｄの中心に設けられている孔１４ｂに表示板支持金具１３の突起部１３ａを挿入させて表示体２１が取付枠１４の円筒中心軸方向に移動可能に装着されており、
表示板支持金具１３の突起部１３ａの外周部にバネ１８をピン１９により止着して、バネ１８のバネ力により、常時取付枠１４の底面１４ｄに表示板支持金具１３の端面１３ｃが当接しているようになっている。
【００１５】
そして端面１５ｃ側が開口している底面１５ａを持つ略円筒形状の固定枠１５の内側にパッキン１６を介して乱反射面１１ａが端面１５ｃ側に向くようにして表示窓板１１を装着し、
さらに表示体２１を装着させた取付枠１４の端面１４ｃをパッキン１７を介して表示窓板１１の反射面１１ａの外周部分に当接させるようにして、取付枠１４を固定枠１５に嵌着させて、ユニット化された表示装置１０が構成されており、
バネ１８のバネ力により、常時は取付枠１４の底面１４ｄに表示板支持金具１３の端面１３ｃが当接するようにしているため、表示窓板１１に表示板１２が密着しないようになっている。
【００１６】
なお固定枠１５の底面１５ａには孔１５ｂが開口されており、外部から表示窓板１１の平面１１ｃが表示装置収納部７の孔７ａを介して外部から見えるようになっている。
また取付枠１４の底面１４ｄには図５に示すように孔１４ａが多数個設けられている。
【００１７】
表示装置１０の動作について説明する。
表示装置１０は図３（ａ）に示すように、外部から入ってくる光Ｌは表示窓板１１の平面１１ｃを透過して乱反射面１１ａに設けられているプリズム或いは略４５度の傾斜面で屈折して平面１１ｃに戻ってくるようになっている。
そのため常時は図４（ａ）に示すような表示が表示装置収納部７の孔７ａより外部表示されている。
【００１８】
次に開閉器１の内部で短絡事故が発生すると、短絡電流により開閉器１の内部圧力が上昇する。
【００１９】
この内部圧力の上昇により図３（ｂ）に示すように、取付枠１４に設けられている孔１４ａから表示板支持金具１３の端面１３ｃに力Ｆが発生し、バネ１８のバネ力に逆らって表示体２１を取付枠１４の円筒軸方向に移動させて、表示板１２が表示窓板１１の乱反射面１１ａに密着する。
【００２０】
表示板１２が表示窓板１１の乱反射面１１ａに密着することにより、乱反射面１１ａでの光Ｌの屈折がなくなり、外部から入ってくる光Ｌは表示窓板１１の平面１１ｃを透過して表示体２１の表示板１２と表示板支持金具１３端面１３ｃの間に設けられている視認部材２２で反射されて平面１１ｃに戻ってくるようになる。
そのため、図４（ｂ）に示すように視認部材２２に着色されている表示色が表示窓板１１の平面１１ｃに表示されることになり、表示装置収納部７の孔７ａより地上から内部短絡の発生を容易に目視確認することができる。
【００２１】
この時、図６に示すように表示板１２の係止部１２ａに表示窓板１１の係止部材２０が挿入して係止されるため、内部短絡発生後も表示板１２と表示窓板１１の密着状態が継続維持される。
なお表示板１２と表示窓板１１との密着状態を保持させるための方法は、本目的を達成するものであれば本実施例に限定されるものではなく、例えば凹凸形状の係止部を表示板１２或いは表示板支持金具１３外周面と取付枠１４の筒部内周面に設けたり、表示板支持金具１３の突起部１３ａと取付枠１４の孔１４ｂに設けたりしてもよい。
【００２２】
また、視認部材２２には着色以外に、文字、図記号などを記載してもよいし、蛍光部材や反射部材などを用いてもよい。
特に蛍光部材や反射部材を用いることにより、夜間等においてはより内部短絡発生を地上から目視確認しやすくさせることができる。
【００２３】
図７は別の実施例を示す説明図であり、
図２の表示板１２の変わりに表示窓板１１の乱反射面１１ａと同一形状のプリズム或いは略４５度の傾斜面形状の凹部３０ａと、表示窓板１１に設けられている突起状の係止部２３ａを先端に設けたゴム又は弾性を有する合成樹脂からなる係止部材２３に係止する凹部形状の係止部３０ｂを設けた透明な合成樹脂又はガラスからなる表示板３０が設けられており、図１と同じものには同じ符号を付けて説明を省略する。
【００２４】
内部短絡時には、表示窓板１１の乱反射面１１ａに表示板３０の凹部３０ａが密着して表示窓板１１の乱反射面１１ａでの光Ｌの屈折を無くして、視認部材２２に着色されている表示色を表示窓板１１の平面１１ｃに表示させるようになっている。
【００２５】
なお、表示窓板１１の乱反射面１１ａは凸形状、凹形状のどちらでもよい。
また、表示板１２、３０自体を着色させて視認部材２２を兼用させてもよく、
蛍光部材や反射部材を表示板１２、３０の表示窓板１１の反射面１１ａに密着する面に塗布したり、表示板の材料に蛍光部材や反射部材を混入させて表示板１２、３０を製作させるようにしてもよい。
【００２６】
また、表示装置１０は本体ケース２の側面などに設けてもよく、
さらに地中配電線路に使用される１つのケース内に複数の開閉部を収納させている多回路開閉器など、電路の開閉に使用される全ての電気機器に本発明を使用することができる。
【００２７】
【発明の効果】
以上のように本発明により、
平常時は、表示窓板の乱反射面により表示板の視認部材の表示色が表示窓板の表面側から見えなく、内部短絡時には上昇した内部圧力により表示窓板の乱反射面に表示板を密着させて表示窓板の乱反射を無くして、視認部材の表示色が表示窓板の表面側から見えることになり、内部短絡発生を容易に確認することができる。
この時、表示窓板を大きく設けることができるため、地上より目視確認がしやすい。
さらに視認部材に蛍光部材や反射部材を用いることにより、夜間等において内部短絡発生の目視確認をしやすくすることができる。
表示窓板の乱反射面と表示板の密着状態を継続維持させることにより、事故消滅後も表示窓板の表面側より視認部材を確認することができるため、事故後の巡視時に内部短絡発生を確認することが容易にできる。
【図面の簡単な説明】
【図１】本発明の実施例を示す開閉器の外観説明図である。
【図２】表示装置１０の説明図である。
【図３】図２の表示方法の説明図である。
（ａ）平常時の説明図
（ｂ）動作時の説明図
【図４】図２の表示状態の説明図である。
（ａ）平常時の表示状態図
（ｂ）動作時の表示状態図
【図５】図２の開閉器内部から見た説明図である。
【図６】図２の動作時の説明図である。
【図７】別の実施例の説明図である。
【符号の説明】
１    開閉器
２    本体ケース
３    ブッシング
７    表示収納部
１０  表示装置
１１  表示窓板
１１ａ  乱反射面
１２  表示板
１３  表示板支持金具
１４  取付枠
１５  固定枠
２１  表示体
２２  視認部材
【図１】
2004355963.tif 000003
【図２】
2004355963.tif 000004
【図３】
2004355963.tif 000005
【図４】
2004355963.tif 000006
【図５】
2004355963.tif 000007
【図６】
2004355963.tif 000008
【図７】
2004355963.tif 000009